(57)【要約】【課題】光ファイバの長さに拘わらず、光ファイバを安定した状態で運搬する。【解決手段】包装ケース本体１２に光ファイバ１の両端に接続された光部品４を固定して収容する光部品収容部６と、光ファイバ１を収容する光ファイバ収容部７と、この光ファイバ収容部７内に設けられ光ファイバ１を巻き付ける巻付部１９とを備えた光ファイバ１の包装ケース１１において、巻付部１９と光部品収容部６との距離を可変とすべく巻付部１９を複数の位置から取付位置を選択して包装ケース本体１２に取り付けた。【選択図】        図１
2005029192.tif 000002
【特許請求の範囲】
【請求項１】
包装ケース本体に光ファイバの両端に接続された光部品を固定して収容する光部品収容部と、上記光ファイバを収容する光ファイバ収容部と、この光ファイバ収容部内に設けられ上記光ファイバを巻き付ける巻付部とを備えた光ファイバの包装ケースにおいて、上記巻付部と上記光部品収容部との距離を可変とすべく上記巻付部を複数の位置から取付位置を選択して上記包装ケース本体に取り付けたことを特徴とする光ファイバの包装ケース。
【請求項２】
上記巻付部に突起部を設け、上記包装ケース本体に上記突起部が嵌合される穴を上記光部品収容部からの距離を代えて複数形成した請求項１記載の光ファイバの包装ケース。
【請求項３】
上記包装ケース本体が、導電性材料を混合した弾性素材にて形成された請求項１または２いずれかに記載の光ファイバの包装ケース。
【発明の詳細な説明】
【０００１】
【発明の属する技術分野】
本発明は、両端に光部品が接続された光ファイバを巻いた状態で収容する光ファイバの包装ケースに関するものである。
【０００２】
【従来の技術】
図３に示すように、光ファイバ１の両端にパッケージ２や光コネクタ３等の光部品４が接続されてなる光モジュール５を収容するには、従来、光部品４を固定して収容する光部品収容部６と、光ファイバ１を収容する光ファイバ収容部７と、この光ファイバ収容部７内に設けられ光ファイバ１を巻き付ける巻付部８とが設けられた光ファイバ１の包装ケース９が用いられていた。
【０００３】
この包装ケース９は、パッケージ２を光部品収容部６に固定して、光ファイバ１の長さに応じて光ファイバ１を巻付部８へ巻き付けた後に折り返して、光コネクタ３を光部品収容部６に固定するようになっている。すなわち、光ファイバ１の巻付部８への巻付回数を調整することで、光ファイバ１の長さと、光部品収容部６、光ファイバ収容部７及び巻付部８間の距離との関係を最適にするようになっていた。
【０００４】
これによって、包装ケース９内で光ファイバ１を弛ませることなく収容でき、光ファイバ１を安定した状態で運搬するようになっていた。
【０００５】
【特許文献１】
実開平５−５５１０４号公報
【０００６】
【発明が解決しようとする課題】
しかしながら、光モジュール５の光ファイバ１は、その長さが多種に及び、上述の包装ケース９では、光部品収容部６と巻付部８との距離が一定であるため、光ファイバ１の巻付部８への巻付回数だけでは、光ファイバ１の長さと、光部品収容部６、光ファイバ収容部７及び巻付部８間の距離との関係を最適とすることができない場合もあった。
【０００７】
この場合、包装ケース９内で光ファイバ１が弛んだ状態となっているので、運搬時の振動により、光ファイバ１の巻付部８への巻き状態が崩れて、光ファイバ１の断線を引き起こすことがあるといった問題があった。
【０００８】
そこで、本発明は上記問題を解決すべく案出されたものであり、その目的は、光ファイバの長さに拘わらず、安定した状態で運搬できる光ファイバの包装ケースを提供することにある。
【０００９】
【課題を解決するための手段】
前記課題を解決すべく、本発明は、包装ケース本体に光ファイバの両端に接続された光部品を固定して収容する光部品収容部と、上記光ファイバを収容する光ファイバ収容部と、この光ファイバ収容部内に設けられ上記光ファイバを巻き付ける巻付部とを備えた光ファイバの包装ケースにおいて、上記巻付部と上記光部品収容部との距離を可変とすべく上記巻付部を複数の位置から取付位置を選択して上記包装ケース本体に取り付けたものである。
【００１０】
そして、上記巻付部に突起部を設け、上記包装ケース本体に上記突起部が嵌合される穴を上記光部品収容部からの距離を代えて複数形成したものが好ましい。
【００１１】
また、上記包装ケース本体が、導電性材料を混合した弾性素材にて形成されたものが好ましい。
【００１２】
【発明の実施の形態】
以下、本発明の実施の形態を添付図面に従って説明する。
【００１３】
図１及び図２に示すように、本実施の形態に係る光ファイバ１の包装ケース１１は、光ファイバ１の両端にパッケージ２や光コネクタ３等の光部品４が接続されてなる光モジュール５を収容するものである。
【００１４】
包装ケース１１は、包装ケース本体１２に光ファイバ１の両端に接続された光部品４を固定して収容する光部品収容部６と、光ファイバ１を収容する光ファイバ収容部７と、この光ファイバ収容部７内に設けられ光ファイバ１を巻き付ける巻付部１９とを備えている。
【００１５】
包装ケース本体１２は、スポンジやウレタンフォーム等の弾性素材にて長方形の板状に形成されている。弾性素材には、静電気を防止するためにフェライトやカーボン等の導電性材料が混入されている。
【００１６】
光部品収容部６は、パッケージ２用と光コネクタ３用の二箇所形成されており、包装ケース本体１２の長手方向一端部側の短手方向両側近傍にそれぞれ配置されている。光部品収容部６は、包装ケース本体１２の表面に所定深さの凹部１５をそれぞれ形成して構成されている。凹部１５は、パッケージ２及び光コネクタ３の厚さより深い深さを有しており、パッケージ２や光コネクタ３が包装ケース本体１２の表面から突出しないようになっている。
【００１７】
光ファイバ収容部７は、凹部１５よりも浅い凹部１６にて構成されている。凹部１６は、光部品収容部６に連続して形成され一方の光部品収容部６から包装ケース本体１２の長手方向逆側へ延出して、包装ケース本体１２の端部近傍で折り返して、他方の光部品収容部６に連通しており、略Ｕ字状に形成されている。凹部１６は、光ファイバ１が包装ケース本体１２の表面から出ない幅及び深さで形成されており、光部品収容部６との間に段部１７が形成されている。この段部１７で、光部品収容部６に収容された光部品４が係止され固定されるようになっている。光ファイバ収容部７の折返部１８は、光ファイバ１を巻くために幅広に形成されている。
【００１８】
折返部１８には、光ファイバ１を巻き付ける巻付部１９が、包装ケース本体１２の下側（図１中紙面裏側）から着脱自在に設けられている。巻付部１９は、折返部１８の内周面と所定の間隔を隔てる外周面を有する円柱部２１と、円柱部２１から径方向外方に延びるブラケット２２とを備えている。
【００１９】
折返部１８には、円柱部２１が包装ケース本体１２の下側から挿入される長穴２７が形成されている。長穴２７は、包装ケース本体１２の長手方向に長い形状となっている。ブラケット２２は、円柱部２１から包装ケース本体１２の短手方向両側に延出して包装ケース本体１２の両端から突出しない長さに形成されており、その先端部近傍には上方に延びる突起部２３がそれぞれ設けられている。
【００２０】
包装ケース本体１２には、突起部２３が選択的に嵌合する穴２４、２５、２６が設けられている。穴２４、２５、２６は、包装ケース本体１２の短手方向両側近傍に、光部品収容部６からの距離を代えて複数（本実施の形態では３箇所ずつ）それぞれ形成されている。すなわち、穴２４、２５、２６は、包装ケース本体１２の長手方向に複数（３対）並列されている。
【００２１】
収容される光ファイバ１の長さに応じて、最適な位置の穴２４、２５、２６（本実施の形態では中央の２５）が選択され、その穴２５に突起部２３が嵌合されて、これと同時に、円柱部２１が長穴２７から光ファイバ収容部６の折返部１８内上方へと突出して、巻付部１９が包装ケース本体１２に装着される。このとき、円柱部２１は、長穴２７に挿入されるので、上記穴２４、２５、２６のうちどれを選択しても、円柱部２１が包装ケース本体１２に干渉することはなく、折返部１８内へ突出することができる。
【００２２】
なお、包装ケース本体１２の下面の、穴２４、２５、２６の周辺には、巻付部１９を装着した際にブラケット２２が収容されるブラケット用凹部２８が形成されており、ブラケット２２が、包装ケース本体１２の下面から突出しないようになっている。これによって、運搬時に、包装ケース１１を平らに積み上げることができ、安定性を高めることができる。
【００２３】
上記構成によれば、巻付部１９の突起部２３を嵌合する穴２４、２５、２６を選択して巻付部１９を装着することによって、光部品収容部６と巻付部１９との距離を、光ファイバ１の長さに応じた最適な長さにすることができる。これによって、光ファイバ１を弛ませることなく安定した状態で、包装ケース１１内に収容することができる。従って、運搬時の振動等の外力が包装ケース１１にかかっても、光ファイバ１の巻付部１９への巻き状態が崩れることはなく、光ファイバ１同士がずれることはないので、光ファイバ１の断線等の破損を確実に防止できる。
【００２４】
また、包装ケース本体１２を弾性素材にて形成したので、運搬中の振動や衝撃を吸収でき、包装ケース１１内の光モジュール５へかかる振動等を低減できる。さらに、弾性素材に導電性材料を混合したので、包装ケース１１内での静電気の発生を防止できる。従って、ＩＣ等の電子部品や光素子（半導体レーザや受光素子）から構成される光モジュール５の静電破壊を防止できる。
【００２５】
なお、上記実施の形態では、穴２４、２５、２６を３対としたがこれに限られるものではなく、２対或いは４対以上としてもよい。さらに、穴２４、２５、２６は、包装ケース本体１２の長手方向に沿って配置しているが、配置方向を、長手方向に対して傾斜させたり、複数の方向を組み合わせたりしてもよい。
【００２６】
さらに、上記実施の形態では、巻付部１９に突起部２３を設け、包装ケース本体１２に穴２４、２５、２６を設けているが、それらの設置位置を逆にしてもよい。また、装着方法も凹凸の嵌め合いに限られるものではなく、接着や他の方法であってもよい。
【００２７】
【発明の効果】
以上要するに本発明によれば、光ファイバの長さに拘わらず、光ファイバを安定した状態で運搬できるといった優れた効果を発揮する。
【図面の簡単な説明】
【図１】本発明に係る光ファイバの包装ケースの好適な実施の形態を示した平面図である。
【図２】本発明に係る光ファイバの包装ケースの巻付部を示した（ａ）は平面図、（ｂ）は側面図である。
【図３】従来の光ファイバの包装ケースを示した平面図である。
【符号の説明】
１  光ファイバ
４  光部品
６  光部品収容部
７  光ファイバ収容部
１１  包装ケース
１２  包装ケース本体
１９  巻付部
２３  突起部
２４、２５、２６  穴
【図１】
2005029192.tif 000003
【図２】
2005029192.tif 000004
【図３】
2005029192.tif 000005